(57)【要約】  呼吸装置は、器具を患者の人工空気路に導入することができる器具導入区画を含む。器具導入区画は、開口を持つ末端部及び近位端部を持ち、器具導入区画への器具の挿入を可能にする。器具は、末端部と近位端部の間の通路を移動可能である。末端部は、患者に取り付けられた人工空気路構造に取り外し可能に取り付けられるように構成される。更にバルブが、器具導入区画内に配置される。バルブは、器具が設けられ更にバルブから近位側にある時、通路が患者の人工空気路から少なくとも実質的に遮断される閉位置を持つ。バルブは、バルブが閉位置にある時、器具導入区画の通路を少なくとも実質的に遮断する。バルブは又、器具を器具導入区画を通して、かつ、患者の人工空気路に移動させることができるような開位置を持つ。【選択図】図１
2006528531.tif 000002
【特許請求の範囲】
【請求項１】
呼吸装置であって、
患者の人工空気路に器具を導入することができる器具導入区画を備え、
前記器具導入区画は、
開口を持ち、前記器具導入区画に前記器具を挿入するように構成された近位端部、
前記患者に取り付けられた人工空気路構造に取り外し可能に取り付けられるように構成された末端部、
前記器具を移動可能にする前記近位端部内の前記開口から前記末端部内の開口までの通路、
を含み、
バルブが前記器具導入区画内に配置され、該バルブは、前記通路が前記患者の前記人工空気路から少なくとも実質的に遮断される閉位置と、前記器具が前記器具導入区画を通して前記患者の前記人工空気路にまで移動できるようにする開位置とを持つ、
ことを特徴とする装置。
【請求項２】
前記器具導入区画の前記近位端部と係合するように構成されたキャップを更に含み、該キャップは前記器具導入区画の前記近位端部内の前記開口に前記器具を挿入することができる開口を持つことを特徴とする請求項１に記載の呼吸装置。
【請求項３】
前記器具導入区画の前記近位端部内の前記開口を閉じるプラグを更に含み、該プラグは前記器具導入区画の前記近位端部と係合するように構成されたことを特徴とする請求項１に記載の呼吸装置。
【請求項４】
前記器具は、吸引カテーテル、内視鏡、及び気管支鏡から成るグループから選択されることを特徴とする請求項１に記載の呼吸装置。
【請求項５】
前記器具は前記器具導入区画の前記通路を通して進ませることが可能な管状部分を持つ吸引カテーテルであり、前記器具導入区画の前記近位端部は前記吸引カテーテルに取り外し可能に取り付けられるように構成されたことを特徴とする請求項１に記載の呼吸装置。
【請求項６】
前記バルブから近位側において前記器具導入区画内に配置されたワイパーシールを更に含むことを特徴とする請求項１に記載の呼吸装置。
【請求項７】
前記バルブから近位側において前記器具導入区画内に配置されたクリーニング区画と、
前記クリーニング区画に対して連通状態にあり、流体を前記クリーニング区画に移送させるように構成された灌注口と、
を更に含むことを特徴とする請求項１に記載の呼吸装置。
【請求項８】
前記バルブは、単一フラップであることを特徴とする請求項１に記載の呼吸装置。
【請求項９】
前記単一フラップは、貫通孔を持ち、前記器具導入区画を通して前記器具を挿入することにより開くことができることを特徴とする請求項８に記載の呼吸装置。
【請求項１０】
前記バルブは、前記閉位置に向かって付勢されたことを特徴とする請求項１に記載の呼吸装置。
【請求項１１】
前記器具導入区画の前記末端部は、摩擦嵌合構造によって前記人工空気路構造に取り外し可能に取り付けられたことを特徴とする請求項１に記載の呼吸装置。
【請求項１２】
前記器具導入区画の前記末端部は、ねじを持ち、ねじ係合によって前記人工空気路構造に取り外し可能に取り付けられたことを特徴とする請求項１に記載の呼吸装置。
【請求項１３】
前記器具導入区画の前記末端部は、少なくとも１つの突状係合部を持ち、前記人工空気路構造に取り外し可能に取り付けられたことを特徴とする請求項１に記載の呼吸装置。
【請求項１４】
前記器具導入区画の前記末端部に対して係合可能で、前記器具導入区画を前記人工空気路構造に取り外し可能に取り付けさせるクランプ係合リングを更に含むことを特徴とする請求項１に記載の呼吸装置。
【請求項１５】
前記人工空気路構造は、回転可能なマニホルド、エルボー型マニホルド、Ｔ型マニホルド、及びＹ型マニホルドからなるグループから選択されることを特徴とする請求項１に記載の呼吸装置。
【請求項１６】
前記人工空気路構造は、空気損失を防止するためのバルブを持つことを特徴とする請求項１に記載の呼吸装置。
【請求項１７】
前記器具導入区画の前記近位端部と係合するように構成され、前記器具導入区画の前記近位端部内の前記開口に前記器具を挿入させることができる開口を持つキャップと、
プラグ連結紐を持ち、前記キャップ内の前記開口を閉じるために前記キャップ内の前記開口に挿入可能なプラグと、
を更に含むことを特徴とする請求項１に記載の呼吸装置。
【請求項１８】
前記人工空気路構造のポートと係合するように構成され、前記人工空気路構造への前記器具の挿入を可能にする開口を持つキャップと、
プラグ連結紐を持ち、前記キャップ内の前記開口を閉じるために前記キャップ内の前記開口に挿入可能なプラグと、
を更に含むことを特徴とする請求項１に記載の呼吸装置。
【請求項１９】
前記器具導入区画の前記近位端部を閉じることができる端部の正呼気圧キャップを更に含むことを特徴とする請求項１に記載の呼吸装置。
【請求項２０】
呼吸装置であって、
患者の人工空気路に取り付けられた人工空気路構造と、
開口を持つ近位端部、
前記人工空気路構造に取り外し可能に取り付けられるように構成された末端部、
前記近位端部の前記開口から前記末端部の開口までの通路、
から成り、前記患者の前記人工空気路への器具の導入が可能な器具導入区画と、
前記器具導入区画内に配置され、閉位置において前記通路を少なくとも実質的に遮断することができ、開位置において前記器具導入区画を通して前記器具を移動させることができるバルブと、
前記バルブの閉位置において前記バルブから近位側において前記器具導入区画内に設置されるクリーニング区画と、
前記クリーニング区画に対して連通状態にあり、前記クリーニング区画を通して流体を移送することを可能にするように構成された灌注口と、
前記器具導入区画の前記近位端部と係合可能であり、前記近位端部の前記開口を閉じることにより周囲から前記通路を遮断することができるプラグと、
から成ることを特徴とする装置。
【請求項２１】
前記バルブから近位側において前記器具導入区画に配置されたワイパーシールを更に含むことを特徴とする請求項２０に記載の呼吸装置。
【請求項２２】
前記バルブは、単一フラップであることを特徴とする請求項２０に記載の呼吸装置。
【請求項２３】
前記単一フラップは、貫通孔を持ち、前記器具導入区画を通して前記器具を挿入することにより開状態にさせられることを特徴とする請求項２２に記載の呼吸装置。
【請求項２４】
前記バルブは、前記閉位置に向かって付勢されていることを特徴とする請求項２０に記載の呼吸装置。
【請求項２５】
前記器具導入区画の前記末端部は、摩擦嵌合構造によって前記人工空気路構造に取り外し可能に取り付けられたことを特徴とする請求項２０に記載の呼吸装置。
【請求項２６】
前記器具導入区画の前記末端部はねじを持ち、ねじ係合によって前記人工空気路構造に取り外し可能に取り付けられたことを特徴とする請求項２０に記載の呼吸装置。
【請求項２７】
前記器具導入区画の前記末端部は少なくとも１つの突状係合部を持ち、前記人工空気路構造に取り外し可能に取り付けられたことを特徴とする請求項２０に記載の呼吸装置。
【請求項２８】
前記器具導入区画の前記末端部に対して係合可能で、前記器具導入区画を前記人工空気路構造に取り外し可能に取り付けさせるクランプ係合リングを更に含むことを特徴とする請求項２０に記載の呼吸装置。
【請求項２９】
前記人工空気路構造は、回転可能なマニホルド、エルボー型マニホルド、Ｔ型マニホルド、及びＹ型マニホルドからなるグループから選択されることを特徴とする請求項２０に記載の呼吸装置。
【請求項３０】
前記器具導入区画の前記近位端部と係合するように構成され、前記器具導入区画の前記近位端部内の前記開口への前記器具の挿入を可能にする開口を持つキャップを更に含むことを特徴とする請求項２０に記載の呼吸装置。
【請求項３１】
前記器具は、吸引カテーテル、内視鏡、及び気管支鏡から成るグループから選択されることを特徴とする請求項２０に記載の呼吸装置。
【請求項３２】
前記器具は前記器具導入区画の前記通路を通して進ませることが可能な管状部分を持つ吸引カテーテルであり、前記器具導入区画の前記近位端部は、前記吸引カテーテルに取り外し可能に取り付けられるように構成されていることを特徴とする請求項１に記載の呼吸装置。
【請求項３３】
前記人工空気路構造内には、空気損失を防止するためのバルブが配置されたことを特徴とする請求項２０に記載の呼吸装置。
【請求項３４】
前記器具導入区画の前記近位端部と係合するように構成され、前記器具導入区画の前記近位端部内の前記開口に前記器具を挿入させることができる開口を持つキャップと、
プラグ連結紐を持ち、前記キャップ内の前記開口を閉じるために前記キャップ内の前記開口に挿入可能で、同時に前記近位端部内の前記開口と前記キャップ内の前記開口を閉じることにより周囲から前記器具導入区画の前記通路を遮断することができるプラグと、
を更に含むことを特徴とする請求項２０に記載の呼吸装置。
【請求項３５】
呼吸装置であって、
前記器具導入区画に前記器具を挿入させるように構成された開口を持つ近位端部、
前記患者に取り付けられた人工空気路構造に取り外し可能に取り付けられるように構成され、摩擦嵌合構造により取り外し可能に取り付けられた末端部、
前記器具が移動可能なような前記近位端部の前記開口から前記末端部の開口までの通路、
から成り、患者の人工空気路への器具の導入が可能な器具導入区画と、
前記器具導入区画内に配置され、前記通路が前記患者の前記人工空気路から少なくとも実質的に遮断される閉位置、及び、前記器具を前記器具導入区画を通して前記患者の前記人工空気路に移動させる開位置を持つ単一プラップバルブと、
前記バルブが閉位置の時、前記バルブから近位側にある前記器具導入区画内に設置されるクリーニング区画と、
前記クリーニング区画に対して連通状態にあり、前記クリーニング区画を通して流体を移送することを可能にするように構成された灌注口と、
前記器具導入区画内で、前記クリーニング区画から近位側に配置されたワイパーシールと、
前記器具導入区画の前記近位端部と係合するように構成され、前記器具導入区画の前記近位端部内の前記開口への前記器具の挿入を可能にするような開口を持つキャップと、
連結紐により前記キャップと結合され、前記キャップの前記開口を閉じるために前記キャップ内の前記開口に挿入可能なプラグと、
からなること特徴とする装置。
【発明の詳細な説明】
【技術分野】
【０００１】
様々な異なる環境において、人が気管内チューブのような人工空気路を呼吸システムに設置する必要がある場合がある。例えば、手術の間、人工空気路の最初の機能は、患者の空気路を開状態とし、手術の間に十分な肺呼吸が維持できるようにすることである。或いは、多くの患者に対して、機械的呼吸を維持するために、気管内チューブを長い期間にわたり設置したままにすることがある。
【０００２】
気管内チューブが長い時間にわたり設置したままにされる場合には、呼吸分泌物を定期的に取り除くことが重要である。これは、通常は、呼吸吸引カテーテルを使用して達成される。吸引カテーテルが引き抜かれるときに、呼吸システムから粘液及び他の分泌物を吸引するように陰圧がカテーテルの内部に付与される。
【０００３】
例えば、すべての目的についてその全体を引用によりここに組み入れられるＰａｌｍｅｒ他の米国特許第４，５６９，３４４号に述べられたもののような、従来の閉吸引カテーテル組立体では、カテーテルチューブは防護スリーブによって囲まれている。カテーテル組立体は、吸引工程を制御するために、真空源に対して連通状態にあるバルブ機構を含む。末端部すなわち患者側端部で、閉吸引カテーテル組立体は、マニホルド、結合部、アダプター、又は同様のものに永久的に取り付けられる。
【０００４】
陰圧を付与した後、カテーテルチューブは、人工空気路から引き抜かれ、カテーテルチューブが防護スリーブ内に引き戻される時に、ワイパー又はシールがカテーテルチューブの外側にある粘液又は分泌物のかなりの量を取り除くか或いは擦り取る。しかしながら、カテーテルチューブの末端部分は、シール又はワイパーを通って通過することができないので、末端部の分泌物又は粘液は他の方法によって取り除かねばならない。呼吸分泌物の中に存在するであろう病原体からの汚染を防ぐために、カテーテルチューブからこれらの分泌物を取り除くことが望ましい。人口空気路を使用する患者は、免疫システムが弱められていることが多く、病原体により感染しやすいものである。
【０００５】
カテーテルをクリーニングすることができる幾つかの機構が存在する。例えば、患者の空気路から回収された後のカテーテルの先端の周囲領域に、介護人が液体を注入することができる洗浄ポートを設けることができる。液体が注入され吸引が施されると、液体はカテーテルの外側にある分泌物を溶離させ、取り除く。
【０００６】
液体を単に注入し、吸引を施すことの１つの大きな問題は、吸引がカテーテルを通して呼吸空気をも取り除くことである。排出される可能性のある空気が、注意深く制御された呼吸サイクルを壊し、患者に必要な呼吸空気の量がカテーテルのクリーニングの結果減少されることとなる。
【０００７】
従来、実質的に呼吸器から患者への空気流に対して干渉することなく、カテーテルの末端チップをクリーニングするための呼吸吸引カテーテル装置が開発されてきた。その全体がすべての目的についてここに組み入れられるＣｒｕｍｐ他の米国特許第６，２２７，２００号Ｂ１は、１つの実施形態においては、クリーニングする間に患者の空気路からカテーテルの末端部を実質的に隔離するために使用されることができるフラップバルブを提案している。フラップバルブは又、マニホルドを通してカテーテルを患者の空気路に挿入することができる開位置を持つ。現在の呼吸吸引カテーテル装置は、フラップバルブ及び関連する構造を、これらの部品が永久的にマニホルドに接着されるような形で組み込むものである。
【０００８】
呼吸吸引カテーテル装置は、粘液及び他の病原菌を取り除くためにクリーニング機構が設けられているが、より無菌の呼吸回路を保証するために、カテーテル自体が定期的に交換される必要があることが多い。ある呼吸吸引カテーテルの業者は、吸引カテーテルを新しい吸引カテーテルと２４時間ごとに交換することを薦めている。吸引カテーテルの交換が必要な場合には、フラップバルブ及び関連する部品を含み、更にその上に、吸引カテーテルが取り付けられているマニホルドが呼吸回路から取り外される。この取り外しは、患者への空気の供給を妨げるものとなり、呼吸器に関連する複雑化の頻度を増加させるものである。カテーテル及びバルブに取り付けられた新しいマニホルドが、次に呼吸回路に接続される。
【０００９】
吸引カテーテルは又、バルブ及び関連するクリーニング要素を収容する構造に永久的に取り付けられる場合がある。内視鏡又は気管支鏡などの人工空気路に進ませることを求められる他の器具は、マニホルドを通して進ませることができない。更に、これらの他の器具は、吸引カテーテルを使用し更に吸引カテーテルをマニホルドに取り付けても、バルブ及び／又はクリーニング構造を使用してクリーニングすることはできない。
【００１０】
したがって、当技術には、患者への呼吸空気の減少をもたらすことなく器具のチップを効率的にクリーニングすることができる呼吸装置の必要性がある。更に、交換手順の間に患者への空気損失を妨げ、更に患者に病気を与える機会を低くするために、呼吸回路からマニホルドを切り離すことなく、器具を新しい器具と交換する技術の必要性が存在する。
【００１１】
【特許文献１】米国特許第４，５６９，３４４号公報
【特許文献２】米国特許第６，２２７，２００号Ｂ１公報
【特許文献３】米国特許第５，７３５，２７１号公報
【特許文献４】米国特許第５，６９４，９２２号公報
【発明の開示】
【発明が解決しようとする課題】
【００１２】
本発明の様々な特徴及び利点は、以下の説明に部分的に述べられ、説明から明らかになるか、又は本発明の実践から理解されることになる。
【００１３】
本発明は、患者の呼吸回路から取り除き、更に呼吸回路から人工空気路構造を切り離すことなく交換することができる呼吸装置を提供する。器具導入区画が存在し、患者の人工空気路へ器具を導入することができる。器具導入区画は、器具の挿入を可能にする開口を持つことができる近位端部を備えている。器具導入区画は、近位端部の開口から末端部の開口まで延びる通路を持つことができる。器具は、この通路を通して移動可能とすることができる。末端部は、患者に取り付けられた人工空気路構造と取り外し可能に取り付けられるように構成されている。バルブが、器具導入区画内に配置されることができ、通路が患者の人工空気路から少なくとも実質的に遮断されるような閉位置を持つことができる。バルブは、少なくとも実質的に器具導入区画の通路を遮断することができる。バルブは、器具が器具導入区画を通って更に患者の人工空気路に移動させることができるような開位置を持つ。
【００１４】
本発明は又、患者の人工空気路に取り付けられた人工空気路構造を含む呼吸装置の例示的実施形態を提供する。器具導入区画を設けることができ、人工空気路への器具の導入を可能にさせることができる。器具導入区画は、開口を持つ近位端部、及び人工空気路構造に取り外し可能に取り付けられるように構成された末端部を持つことができる。器具導入区画の中の近位端部の開口から末端部の開口まで通路が存在する。バルブを器具導入区画内に配置することができ、閉位置の時、少なくとも実質的に通路を遮断することができる。バルブは、器具導入区画を通して器具を移動させることができる開位置を持つことができる。クリーニング区画は器具導入区画内に設けることができ、バルブが閉位置にある時、バルブから近位側に存在することができる。灌注口は、クリーニング区画に対して連通状態とすることができる。灌注口は、流体をクリーニング区画を通して移送させるように構成されることができる。プラグを設けることができ、更に器具導入区画の近位端部と係合可能とすることができる。プラグは、近位端部の開口を閉じることにより周囲から通路を遮断することができる。
【００１５】
本発明は、器具を患者の人工空気路へ導入するのに適した器具導入区画を持つ呼吸装置を提供する。器具導入区画は、開口を持つ近位端部を持つことができ、器具導入区画への器具の挿入を構成することができる。器具導入区画上に末端部が存在し、患者に取り付けられた人工空気路構造に取り外し可能に取り付けられるように構成されることができる。末端部は、摩擦嵌合構成により取り外し可能に取り付けることができる。近位端部の開口から末端部の開口に通路が存在する。器具は、通路を通して移動可能とすることができる。単一フラップバルブは、器具導入区画内に配置することができ、通路が患者の人工空気路から少なくとも実質的に遮断されるような閉位置を持つことができる。バルブは、器具が器具導入区画を通して、更に患者の人工空気路に移動することができるような開位置を持つことができる。クリーニング区画を、器具導入区画内に設けることができ、バルブが閉位置にある時、バルブから近位側にあるようにすることができる。灌注口は、クリーニング区画に対して連通状態にすることができる。灌注口は、流体をクリーニング区画に移送させるように構成されることができる。ワイパーシールを、器具導入区画内に配置することができ、クリーニング区画から近位側にあるようにすることができる。キャップが、器具導入区画の近位端部に係合するように構成することができる。キャップは、器具導入区画の近位端部内の開口への器具の挿入を可能にする開口を持つことができる。プラグは、連結紐によりキャップに結合されることができる。プラグは、この開口を閉じるために、キャップ内の開口に挿入可能にすることができる。
【００１６】
本発明は、バルブから近位側にある器具導入区画内に配置されたワイパーシールを更に持つ、上記したような呼吸装置の例示的実施形態を提供する。
【００１７】
バルブが単一フラップである上記したような呼吸装置内に、別の例示的実施形態が存在する。又更に、本発明の他の例示的実施形態においては、単一フラップは、貫通孔を持つことができる。単一フラップは、器具導入区画を通して器具の挿入により開口とすることができる。
【００１８】
器具導入区画は、本発明の様々な例示的実施形態においては、種々異なる機構を通して人工空気路構造に取り外し可能に取り付けることができる。例えば、摩擦嵌合構成、ねじ係合、突起係合構造、又はクランプ係合リングを、人工空気路構造への及び人工空気路構造からの器具導入区画に取り外し可能に取り付けるために使用することができる。
【発明を実施するための最良の形態】
【００１９】
本発明の実施形態の詳細が、１つ又はそれより多い例を示して説明される。各々の例は、本発明の説明のために提供されるもので、本発明を制限するものではない。例えば、一実施形態の一部として図示され又は説明される特徴を、別の実施形態において使用し、第三の実施形態とすることができる。本発明は、これらの及び他の修正及び変更を含むことを意図するものである。
【００２０】
ここで用いられる近位端は、医療介護人側方向を一般的に意味する。又、末端部は、患者側の方向を一般的に意味する。
【００２１】
本発明は、患者１８の呼吸回路から取り除くことができ、更に人工空気路構造３０を切り離すことなく呼吸回路において取り替えることができる呼吸装置１０を提供する。
【００２２】
図１を参照すると、本発明は、患者１８の人工空気路３４内に配置される様々な器具と関連して使用することができる。例示によると、本発明は、吸引カテーテル１２及び関連装置１０と関連して使用されるように示されている。呼吸器７６は、人工空気路構造３０を通して人工空気路３４に対して連通させることができる。人工空気路構造３０は、マニホルドとして当業者に知られている。呼吸器７６は、人工空気路３４を通して患者１８に空気を与え、患者１８から空気を取り除くことができる。
【００２３】
人工空気路３４が、ある程度の時間にわたり患者１８に施されたままにされると、呼吸分泌物が患者１８の肺の中に溜まる。したがって、これらの分泌物は、患者１８の十分な肺呼吸を維持することを保証するために取り除く必要がある。これらの分泌物は、吸引カテーテル１２を使用して取り除くことができる。吸引カテーテル１２は、人工空気路３４を通して患者１８の肺の中に延びることができる管状部分１４を持つ。真空源７８は、呼吸回路に対して連通状態とすることができ、更に特定的には吸入カテーテル１２に対して連通状態とすることができる。医療介護人は、吸入バルブ７４を作動させ、これにより真空圧を吸引カテーテル１２の管状部分１４に付与することができる。こうすることにより、患者１８及び人工空気路３４の中の呼吸分泌物を取り除くことができる。
【００２４】
呼吸分泌物は、ある場合には吸引カテーテル１２の管状部分１４上に残されたままにされるか、或いは呼吸回路の他の部分に移された状態になる。これらの呼吸分泌物は、患者１８に害を及ぼすであろう病原菌の繁殖地となり、他の有害な病原体をもたらすので望ましいものではない。したがって、吸入カテーテル１２及び／又は他の呼吸回路の部品は、残存するあらゆる呼吸分泌物を取り除くためにクリーニングされることとなる。しかしながら、患者１８への汚染の危険を低くするために一般的に実践されていることは、例えば２４時間又は７２時間使用後のような、ある程度の設定時間を経過した後、吸入カテーテル１２及び／又は呼吸回路の他の部品を取り除き交換することである。
【００２５】
吸引カテーテル１２は、可撓性のあるプラスチックスリーブ４４を備えるものとして示されている。スリーブ４４は、管状部分１４が呼吸回路から引き抜かれる時に、吸入カテーテル１２の管状部分１４上に蓄積されている呼吸分泌物を収容し、かつ、分離するために設けられる。スリーブ４４は、各々の端部に、スリーブ４４を吸引カテーテル１２に取り付けるシール接合部４５及び４７を設けることができる。
【００２６】
従来の装置においては、人工空気路構造３０を人工空気路３４から取り外し、新しい人工空気路構造３０を呼吸回路に組み込むものであった。この呼吸回路の中断は、患者１８への空気の流れを妨げることになり、呼吸器に関連する複雑化の機会を増加させるものであった。本発明においては、呼吸装置１０を、人工空気路構造３０に取り外し可能に取り付けることができる。この場合、呼吸装置１０が取り外される時、人工空気路構造３０は、その位置にそのままおかれ、呼吸器７６と人工空気路３４の間の連通を可能にすることができる。したがって、呼吸装置１０が取り外される間も患者１８に空気を供与することができる。新しい呼吸装置１０を、同じ人工空気路構造３０に再び取り付けることができる。吸引カテーテル１２は、呼吸装置１０に取り外し可能に取り付けられることができ、呼吸装置１０の交換の間、新しい吸引カテーテル１２と交換することもできるし、できない場合もある。
【００２７】
本発明による呼吸装置１０は、種々異なる人工空気路構造３０と組み合わせて使用することができる。例えば、本発明の例示的一実施形態においては、図１０に示されるように、呼吸装置１０は、Ｔ型人工空気路構造３０とともに使用することができる。ポート９０を設けることができ、これを人工空気路３４（図１）に取り付けることができる。このポート９０は、人工空気路構造３０と人工空気路３４の間を連通させることができる。このポート９２を通して、呼吸器７６（図１）からの空気を人工空気路構造３０に及び人工空気路構造から供与することができる。ポート９２は、コネクター（示されていない）を介して一対の換気チューブに取り付けることができる。人工空気路構造３０上において、付加的ポート９４を該ポート９２の反対側に設けることができる。ポート９４は、典型的には、キャップ６８で覆われており、このキャップ６８は、強制換気から患者１８（図１）を解放するために「側流」が望まれる場合には取り外される。付加的ポート４６は、呼吸装置１０に係合する構成とすることができ、呼吸装置１０は人工空気路構造３０に取り外し可能に取り付けられることができる。
【００２８】
呼吸装置１０が、図２に詳細に示されている。呼吸装置１０は、いかなる適当な方法ででも吸引カテーテル１２（図１）のような器具が取り付けられる器具導入区画２２を含む。器具導入区画２２は、貫通通路２４を持つ。吸引カテーテル１２の管状部分１４（図１）は、器具導入区画２２の末端部２８の開口９８を通って人工空気路構造３０の中に、そして結果的には通路２４を通って人工空気路３４（図１）に進ませることができる。患者１８から管状部分１４を引き抜いたとき、呼吸分泌物が管状部分１４の表面上に存在することがある。ワイパーシール３６を、器具導入区画２２内に設けることができる。このワイパーシール３６は、管状部分１４を通すように、貫通孔を持つ弾性部材とすることができる。ワイパーシール３６は、管状部分１４が器具導入区画２２の近位端部２６に引き抜かれる時、該管状部分１４と緊密に係合していることが望ましい。管状部分１４は、ワイパーシール３６に対し近位側に、かつ、図２に示す位置に移動させることができる。管状部分１４の表面上に存在する呼吸分泌物は、ワイパーシール３６と接触することにより取り除かれる。
【００２９】
器具導入区画２２内には又、クリーニング区画３８を設けることができる。１つの例示的実施形態においては、このクリーニング区画３８は、クリーニング区画部材８６によって定められる。更に、又は代替的には、このクリーニング区画３８は、バルブ３２によって１つの端部上に定められる。更にクリーニング区画３８は、代替的に器具導入区画２２のいずれの部分によっても定めることができる。図２に示されるバルブ３２は、器具導入区画２２の中に収容された環状リング３１にヒンジ取り付けされた単一フラップである。バルブ３２上のヒンジは、付勢力及びピボット位置の両方を与えることができる。このようなバルブ３２の使用は、Ｃｒｕｍｐ他の米国特許第６，２２７，２００号Ｂ１に記載されており、その全体はすべての目的について引用によりここに組み入れられる。バルブ３２は、通路３４を少なくとも実質的に遮断することができる。
【００３０】
図９に示されているように、吸引カテーテル１２の管状部分１４は、末端開口８２を持つ末端部１６を備えることができる。内腔２０は、管状部分１４を通って延び、呼吸分泌物及び他の流体を、真空源７８（図１）によって末端開口８２を通して、内腔２０にまで移送させることができる。吸引カテーテル１２の管状部分１４は、吸引カテーテル１２の末端部１６をバルブ３２に対して、及び／又は、クリーニング区画３８内に位置決めすることによりクリーニングすることができる。このように位置決めされた時、真空が内腔２０に付与され、洗浄液又は他のクリーニング溶液がクリーニング区画３８内に注入されるようにすることができる。真空の付与は、バルブ３２を管状部分１４の末端部１６に対し押し付けるようにすることができる。しかしながら、洗浄液又は他のクリーニング溶液の注入及び／又は真空の付与は、管状部分１４のクリーニングと関連のない他の場合においても行うことができることが理解されるであろう。
【００３１】
本発明のある種の例示的実施形態においては、バルブ３２は、管状部分１４の末端部１６と接触するように述べられているが、管状部分１４を効率よくクリーニングするためであれば、バルブ３２は管状部分１４の末端部１６と接触する必要はない。例えば、バルブ３２は、管状部分１４のクリーニングの間に、クリーニング区画部材８６に対して押し付けられるようにすることができる。
【００３２】
管状部分１４は、少なくとも１つの側部開口８４を設けることができる。この配列は、吸入の間にクリーニング区画３８内に乱流を確立して、洗浄溶液によって管状部分１４上に存在するあらゆる呼吸分泌物を破砕し、かつ、取り除くようにすることができる。呼吸分泌物は、側部開口８４及び／又は末端開口８２を通して取り除くことができる。バルブ３２には、貫通孔４２を設けることができる。孔４２の存在は、クリーニング区画３８内に一層望ましい乱流状態の流体流を確立するのを助けることができる。本発明の１つの例示的実施形態においては、孔４２は、直径が約０．０３インチである。
【００３３】
洗浄溶液を注入するために、器具導入区画２２に取り付けることができる灌注口４０が示されている。洗浄溶液を保持するコンテナ（示されていない）は、灌注口４０内に挿入された出口を持つことができる。クリーニング区画３８に対して連通状態とすることができる灌注口４０に、コンテナから洗浄液を送給することができる。灌注口４０には灌注キャップ７０を設けることができ、該灌注キャップ７０は連結紐７２によって灌注口４０に結合することができる。灌注キャップ７０は、使用されない時、灌注口４０を閉じるために、灌注口４０上に位置させることができる。
【００３４】
本発明のある例示的実施形態においては、クリーニング区画部材８６は、吸引カテーテル１２の管状部分１４とクリーニング区画部材８６との間に小さい大きさの空間が存在するように構成することができる。本発明のある例示的実施形態においては、この空間は、約０．００５インチから約０．０１５インチの間とすることができる。この空間は、２つの利点をもたらす。第一に、患者１８に洗浄を施す必要がある場合に、灌注口４０を通してクリーニング区画３８内に洗浄液を注入すると、洗浄溶液の流れが器具導入区画２２を出て、患者１８に向くようにすることになる。第二に、管状部分１４が引き込まれる場合に、管状部分１４とクリーニング区画部材８６とが密接していることは、吸引カテーテル１２の管状部分１４の外側にある吸入分泌物の厚い層を拭き取るように作用する。
【００３５】
バルブ３２の使用は、吸引カテーテル１２の管状部分１４が、呼吸回路に圧力損失をもたらすことなくクリーニングされることができるという利点をもたらす。これは、バルブ３２が、バルブ３２に対し近位側にある呼吸装置１０の部分を、呼吸回路の残りの物から少なくとも実質的に隔離するからである。本発明の１つの例示的実施形態においては、バルブ３２には、１つ又はそれより多い突起部８８を設けることができる。図９は、人工空気路構造３０と係合資田呼吸装置１０を示している。この場合、人工空気路構造３０は、新生児用マニホルドである。吸引カテーテル１２の管状部分１４が、器具導入区画２２、人工空気路構造３０を通り、ポート９０から外に出て、最終的に患者１８（図１）の人工空気路３４（図１）内に入ることができるように進ませられる状態を示している。バルブ３２は、器具導入区画２２を通して管状部分１４を挿入することによって開くことができる。突起部８８は、バルブ３２が管状部分１４の表面と接触するのを最小にするように構成することができる。この接触は、突起部８８により可能となる最小の接触のために、バルブ３２及び関連する部品が管状部分１４からの呼吸分泌物による汚染を減少させるものとなる。更に、ある例示的実施形態においては、この接触は、バルブ３２の構造的一体性を確実にすることができ、かつ、バルブ３２の不必要な曲げ又は圧力を最小とすることができる。
【００３６】
本発明の１つの例示的実施形態においては、バルブ３２は、閉位置に向けて付勢されるようにすることができる。図９においては、バルブ３２は環状リング３１に取り付けられるように示されているが、例えば器具導入区画２２の壁に直接取り付けることができる。バルブ３２は、管状部分１４がバルブ３２から近位側に位置するとき閉じられるように構成することができ、或いは代替的には、管状部分１４をバルブ３２から近位側に位置させ、閉位置にバルブ３２を引くための真空を内腔２０を通し付与してバルブ３２を閉じるように構成することができる。
【００３７】
バルブ３２は、本発明の他の例示的実施形態においては、単一フラップとする必要はないし、孔４２も突起部８８も必要ではない。図示されているバルブ３２の形態は、望ましい実施形態というだけであって、バルブ３２の他の形態も本発明においては可能であることが理解されるべきである。例えば、バルブ３２は、１つ、２つ、又は３つのフラップとすることができ、閉位置に向けて付勢され、器具導入区画２２を通して吸引カテーテル１２の管状部分１４又は他の適当な器具を挿入することにより開かれるものとすることができる。
【００３８】
図２を参照すると、器具導入区画２２には、近位端部２６及び末端部２８が設けられている。近位端部２６は、当業者によく知られているような種々異なる方法により吸引カテーテル１２に取り外し可能に取り付けることができる。例えば、これらの２つの部品は、互いに摩擦嵌合されるか、互いにクランプ係合されるか、又はねじ係合により結合されることができる。スナップ係合、ラッチ、ボス及び戻り止めなどの他の適当な結合も使用されることができる。器具導入区画２２の末端部２８は、人工空気路構造３０上のポート４６に取り外し可能に取り付けられるよう構成することができる。器具導入区画２２の末端部２８とポート４６の係合が図３に示されている。この例示的実施形態においては、末端部２８は、ポート４６に摩擦嵌合させることができる。これは、呼吸装置１０と人工空気路構造３０の間に固定的取り付けを提供するだけでなく、呼吸装置１０を交換したい時はこれらの２つの部品を取り外すことができる。他の例示的実施形態においては、図３に示されている人工空気路構造３０に付加的ポート８０を設け、このポート８０に呼吸装置１０を取り付けることができる。更に、本発明のもっと別の例示的実施形態においては、２つの呼吸装置１０を採用して、それぞれの器具導入区画２２のそれぞれの末端部２８が、ポート４６及びポート８０と係合可能な状態となるようにすることができる。
【００３９】
器具導入区画２２の近位端部上に配置されたキャップ１００が設けられている呼吸装置１０が示されている（図５）。キャップ１００内の開口１０２は、吸引カテーテル１２が器具導入区画２２の近位端部内の開口９６を通る前に通すことができるように提供されている。開口１０２は、様々な器具が呼吸装置１０と関連して使用できるような大きさとすることができる。開口１０２は、プラグ１０４により閉じることができ、これは連結紐１０６によってキャップ１００と結合されることが望ましい。図５は、プラグ１０４が開口１０２（図４）に挿入された例示的実施形態を示しており、これにより器具導入区画２２の近位端部２６の開口９６が閉じられる。開口９６を閉鎖すると、器具が呼吸装置１０と結合して使用されない時に周囲から汚染されるような呼吸装置１０の汚染を防ぐことができる。更に、患者１８が人工呼吸器を使用している間、呼吸回路内の端部の正呼気圧を維持することができるように開口９６を閉じることが有益である。バルブ３２又はＰＥＥＰシール（示されていない）を使用して端部の正呼気圧を維持することも可能であるが、正の呼気圧を維持する代替的又は補助的方法を提供するために、近位端部２６を閉鎖するためにプラグ１０４を使用することができる。上記したように、キャップ１００は、呼吸装置１０に設置される必要はない。例えば、図９は、このようなキャップ１００が存在しない例示的実施形態を示している。
【００４０】
図１４−１６は、本発明の例示的実施形態によるキャップ１００及びプラグ１０４の代替的配置を示している。ここでは、取り付け部材１１４を設けることができ、例えば、近位端部２６のような呼吸装置１０の部品に取り付けることができる。キャップ１００は、連結紐１０６によって取り付け部材１１４に接合されるように示されており、一方では、プラグ１０４は別個のプラグ連結紐１１６によって取り付け部材１１４に接合されるように示されている。キャップ１００は、例えば開口９６のような呼吸装置１０の部分に配置することができる。更に望まれれば、プラグ１０４は、キャップ１００の開口１０２内に配置されることができる。
【００４１】
図４は、本発明の代替的例示的実施形態を示しており、取り付け部材１１４を持つキャップ１００が、人工空気路構造３０のポート４６に取り付けられることができる。ポート４６を閉じるために、プラグ１０４をキャップ１００内に挿入することができる。呼吸装置１０を人工空気路構造３０に取り付けさせるために取り除かれたキャップ１００及びプラグ１０４が、図５に示されている。しかしながら、本発明の他の例示的実施形態においては、呼吸装置１０の末端部２８は、キャップ１００をポート４６から取り除くことなく、人工空気路構造３０のポート４６に挿入することができる。
【００４２】
図３に示されるように、ポート４６は回転ポート６２に対して軸整列状態とすることができ、更にこのポートを人工空気路３４（図１）に取り付けることができる。回転部材６０を人工空気路構造３０上に設け、これがポート４６及び８０を回転させ、ポート８０が回転ポート６２と軸整列状態になり、したがってポート４６がポート６２との軸整列状態から外れるように動かされるようにすることができる。この形式の人口空気路構造３０は、Ｌｏｒｅｎｚｅｎ他の米国特許第５，７３５，２７１号に記載されており、その全体はすべての目的について引用によりここに組み入れられる。人工空気路構造３０は、呼吸器７６に対して連通状態にあるように位置された別の回転ポート６４を持つ。これら２つのポート６２及び６４は、呼吸回路の様々な部分が操作され移動される時に、これらに連結された管及び／又は構造が移動しやすいような回転特性を持つように構成することができる。このことは、呼吸回路の移動によって患者１８（図１）に与えられるストレスを減少させるものである。回転ポート６２及び６４は、例えば、Ｐａｌｍｅｒ他の米国特許第５，６９４，９２２号に記載されているように形成することができ、この特許はその全体がすべての目的について引用によりここに組み入れられる。
【００４３】
本発明の別の例示的実施形態が図４に示されている。ここで、呼吸装置１０は、図２に示された例示的実施形態に関連して述べられた呼吸装置１０と実質的に類似するものとすることができる。しかしながら、呼吸装置１０を取り外し可能に取り付けることができる人工空気路構造３０は、この場合においては、１対の回転ポート６２及び６４を持つエルボー型マニホルドである。図５は、図３に示された例示的実施形態に関連して述べられたのとほとんど同じ方法で、人工空気路構造３０に取り付けられた呼吸装置１０を示しており、これはポート４６と器具導入区画２２の末端部２８の間を摩擦嵌合配列状態にする。本発明は、ポート４６と器具導入区画２２の末端部２８の間の摩擦を特定の量に制限するものではないことが理解されるであろう。例えば、これらの２つの部品は、器具導入区画２２の末端部２８をポート４６から取り外すためには、医療介護人が大きな力を付与しなければならないように、互いにしっかりと嵌合させることができる。反対に、これらの２つの部品は、器具導入区画２２の末端部２８をポート４６から取り外すためにはわずかな量の力しか必要としないように、互いに嵌合させることができる。本発明は、これらの２つの部品の間の摩擦の程度を種々異ならせて、人工空気路構造３０上に嵌合させることができる呼吸装置１０の例示的実施形態を含むことが理解されるであろう。
【００４４】
器具導入区画２２の末端部２８が、ポート４６の中に挿入されるように示されているが（図３、５、７、９、１１及び１３）、他の例示的実施形態においては、ポート４６の周りに嵌合する大きさとすることができる。更に、本発明においては、ポート４６と末端部２８との間の当業者に知られている他の摩擦嵌合構造を採用することも可能である。
【００４５】
本発明の別の例示的実施形態が図６に示されている。ここでは、人工空気路構造３０はエルボー型マニホルドとすることができ、その上に回転特性は含まないポート９０及び９２が配置される。これらの２つのポート９０及び９２は呼吸回路の一部分を形成するもので、ポート９０を通して患者（図１）に向かって、及び患者１８からの空気を通し、更にポート９２を通して呼吸器７６（図１）に向かって、及び呼吸器からの空気を通す。述べられたように、この呼吸装置１０は、人工空気路構造３０を呼吸回路の残りの部分から取り外す必要なく、人工空気路構造３０から取り外すことができる。これは、呼吸装置１０を交換している間でも、患者１８（図１）に空気が付与されることを保証するものである。しかしながら、呼吸装置１０取り外されたとき、ポート４６にある開口のために、わずかな量の空気が損失されることがある。端部の正呼気圧の損失をより最小にするために、人工空気路構造３０には、人工空気路構造バルブ６６を設けることができる。
【００４６】
人工空気路構造バルブ６６は、ポート４６をシールすることにより、呼吸装置１０を取り外す間の空気の損失を防ぐことができる。人工空気路構造バルブ６６は、当業者によく知られたどのような設計ともすることができる。例えば、図６に示されるように、人工空気路構造バルブ６６は、器具導入区画２２のバルブ３２と実質的に類似した単一フラップとすることができる。人工空気路構造バルブ６６は、閉位置に向けて付勢することができ、ポート４６を通してポート９０に管状部分１４（図１）が挿入されたときに開くことができる。人工空気路構造バルブ６６は、単一フラップとして示されているが、複数のフラップとすることもできる。更に、人工空気路構造バルブ６６は、フラップを持たないが、呼吸吸装置１０を人工空気路構造３０から取り外す間に、閉ポート４６を形成する機構とすることができる。
【００４７】
更に、バルブ３２及び人工空気路構造バルブ６６は、本発明の他の例示的実施形態において、他の形態とすることができる。例えば、この形態は、本出願人が所有するＣｒｕｍｐ他の米国特許第６，２２７，２００号Ｂ１に開示されている、ねじり膜、カモノハシ配列、又はオフセットされた孔を持つ二重膜形態を使用することができる。
【００４８】
人工空気路構造バルブ６６は、呼吸装置１０を取り外す間は閉状態とし、器具導入区画２２の末端部２８をポート４６に挿入すると開状態になるように構成することができる。更に、人工空気路構造バルブ６６は、ポート４６を通して人口空気路構造３０に吸引カテーテル１２の管状部分１４（図１）を挿入することにより開かれるように構成することができる。この場合において、人工空気路構造バルブ６６は、管状部分１４からの呼吸分泌物に接触するために、クリーニングを必要とすることがある。この場合においては、管状部分１４の末端部１６（図１）を人工空気路構造バルブ６６に近位側に位置させ、灌注口４０を通してこの位置に洗浄溶液を注入することができる。管状部分１４の内腔２０に真空を付与して、存在する呼吸分泌物を、バルブ３２に関連するクリーニング手順と実質的に同一の方法により取り除くことができる。
【００４９】
更に、本発明においては、呼吸吸引カテーテル装置１０を人工空気路構造３０に取り外し可能に取り付ける他の方法が可能である。図６及び図７は、器具導入区画２２の末端部２８の上に外ねじ４８が形成されているねじ係合を示している。ポート４６は、内ねじ５０を持つことができ、この内ねじ５０が外ねじ４８と噛み合うように構成されている。図７は、呼吸装置１０と人工空気路構造３０との間のねじ係合を示している。この取り付けを行うために、医療介護人は、呼吸装置１０及び人工空気路構造３０を互いに回転させる必要がある。
【００５０】
呼吸装置１０を人工空気路構造３０に取り外し可能に取り付ける別の形態が図８に示されている。ここでは、人工空気路構造３０は複数のポートを持つ新生児用マニホルドとする。これら３つのポートは、４６、９０及び９２で表示されている。ポート９２は、呼吸器７６（図１）への及び呼吸器からの通路を構成し、ポート９０は、患者１８の人工空気路３４（図１）への及び人工空気路からの通路を構成する。ポート４６は、呼吸吸引カテーテル装置１０の末端部２８に取り外し可能に係合できるように構成されている。末端部２８には、末端部２８から延びる突状係合部５２が設けられている。突状係合部５２及び末端部２８は、ポート４６に強制嵌合させて、末端方向に滑り込ませることができる。ポート４６は１つの端部に、突状係合部５２を受けるように設計された受け区画５４が設けられている。突状係合部５２が受け区画５４内に移動する間、器具導入区画２２の末端部２８がポート４６に保持される。この係合は、図９に示されている。呼吸装置１０を人工空気路構造３０から取り除くためには、医療介護人は、これらの２つの部品を分離させる力を付与することになる。この力は、突状係合部５２を圧縮し、及び／又は末端部２８を変形させるのに十分であり、末端部２８をポート４６から滑り出させ、呼吸装置１０の取り外すことができる。
【００５１】
本発明の別の例示的実施形態が図１０に示されている。ここでは、人工空気路構造３０は、Ｔ型マニホルドとすることができ、呼吸吸引カテーテル装置１０の末端部２８に取り外し可能に取り付けるために、ポート４６が配置されている。ポート４６の外側を囲んで、クランプ係合リング５６が設けられている。クランプ係合リング５６は、例えば金属又は医療用グレードのプラスチックのような単一片の材料とすることができ、少なくとも僅かでも可撓性を示すものである。クランプ係合リング５６は、各々の端部に穴（示されていない）を持ち、この穴を通してねじ５８を配置することができる。器具導入区画２２の末端部２８は、図１１に示されるようにポート４６の中に挿入することができ、ねじ５８は、クランプ係合リング５６の２つの端部が互いに押し付けられるように回転させることができる。これは、次に、ポート４６を圧縮し、該ポート４６が器具導入区画２２の端部２８に押し付けられるようになり、呼吸装置１０と人工空気路構造３０の間にしっかりとした取り付けを形成する。更に、ナット（示されていない）をねじ５８と係合させ、当業者に知られているように、クランプ係合リング５６を圧縮するために使用することができる。ねじ５８を弛めて、クランプ係合リング５６の２つの端部を互いに離すことができる。これは、末端部２８とポート４６の間の結合を弛めるもので、呼吸装置１０を人工空気路構造３０から取り外すことができるようになる。
【００５２】
本発明の付加的例示的実施形態が図１２に示されている。ここでは、呼吸装置１０が、図２の呼吸装置１０と実質的に同様に構成されている。しかしながら、取り外し可能に取り付けられている人工空気路構造３０は、新生児用Ｙ型マニホルドとして示されている。図１３は、上述した摩擦嵌合構造を通して人工空気路構造３０上のポート４６と結合されている器具導入区画２２の末端部２８を示している。人工空気路構造３０のポート９０及び９２は、呼吸器７６と人工空気路３４の間を連通させるものである。テーパ状アダプター１１２をポート９０内に保持して、呼吸装置１０を管又は呼吸回路の他の部品と結合させることができる。テーパ状アダプター１１２は、ポート９０に永久的に取り付けることもできるし、取り付けないこともできる。代替的には、人工空気路構造３０自体は、テーパ状とすることができ、よって本発明の他の例示的実施形態においては、テーパ状アダプター１１２の必要性を排除する。
【００５３】
本発明によれば、呼吸装置１０は、種々異なる人工空気路構造３０に取り付けることができるような大きさとすることができる。したがって、本発明は、人工空気路構造３０の様々な大きさ及び形態に応じて、様々な大きさの呼吸装置１０を含む。ここで述べられた例は、本発明の例示的実施形態のみのものであって、本発明を制限するものではない。更に、導入区画２２の末端部２８を人工空気路構造３０に取り外し可能に取り付ける様々な方法が本発明において可能であり、ここに示された機構は、例示的実施形態のみとして示されている。
【００５４】
本発明の実施形態は、図１に示されるような吸引カテーテル１２と連結して使用されるように述べられてきたが、器具は、本発明の他の例示的実施形態による吸引カテーテル１２ではない他のものとすることができることが理解されるであろう。例えば、図１１は、気管支鏡１０８が挿入された呼吸装置１０が示されている。気管支鏡１０８は、通路２４を通って、人工空気路構造３０まで、更に患者１８（図１）の人工空気路３４まで挿入されることができる。又、気管支鏡１０８は、吸引カテーテル１２に関して上記されたのとほとんど同じ方法でクリーニングすることができる。例えば、気管支鏡１０８のチップは、バルブ３２の近位側に配置され、洗浄溶液がクリーニング区画３８に注入されることができ、更に気管支鏡を通して吸引され、呼吸分泌物が気管支鏡１０８の表面から取り除かれる。更に、内視鏡のような他の適当な器具が、呼吸装置１０と関連して使用されることができる。呼吸装置１０は、異なる器具を配置させても、清浄溶液の挿入及び／又は吸引の付与により清浄されることができる。呼吸装置１０は、人工空気路構造３０を取り外さず、更に患者への呼吸空気に対する前述したような干渉をすることなく、異なる形式の器具を人工空気路３４に挿入させることができる。更に、バルブ３２は、閉位置にある時、端部の正呼気圧を維持するように機能することができる。本発明は、吸引カテーテル１２と関連して使用される呼吸装置１０に制限されるものではなく、人工空気路３４に挿入されるあらゆる適当な器具と使用されることができることが理解されるであろう。したがって、異なる形式の器具が呼吸装置１０と互換性を持つことができる。
【００５５】
本発明は、添付された特許請求の範囲及びその均等手段の範囲内となる、ここに記載された呼吸吸引カテーテル装置の実施形態に対して行うことができる様々な修正を含むことを理解すべきである。
【図面の簡単な説明】
【００５６】
【図１】本発明による呼吸装置の斜視図で、人工空気路及びこれに取り付けられた人工空気路構造が患者に対して使用されている状態が示されている。
【図２】本発明による呼吸装置の縦断面図で、人工空気路構造に近位側に配置された呼吸装置が示されている。
【図３】図２に示されたものに類似した呼吸装置の縦断面図である。ここでは、呼吸装置が人工空気路構造に取り付けられている。
【図４】本発明による呼吸装置の縦断面図で、ここでは、呼吸装置は、回転ポートを持つ人工空気路構造に対し近位側に配置されている。
【図５】図４に示されたものに類似した呼吸装置の縦断面図で、ここでは、呼吸装置は、摩擦嵌合構造を通して人工空気路構造に取り付けられている。
【図６】本発明による呼吸装置の縦断面図で、中に人工空気路構造バルブが配置されている人工空気路構造に対し近位側に配置された呼吸装置が示されている。
【図７】図６に示されたものに類似した呼吸装置の縦断面図で、ここでは、呼吸装置は、ねじ係合を介して人工空気路構造に結合されている。
【図８】呼吸装置を人工空気路構造に結合するために使用される突状係合部が、呼吸装置上に存在する本発明による吸引装置の縦断面図である。
【図９】図８に示されたものに類似した呼吸装置の縦断面図で、ここでは、人工空気路構造に係合した呼吸装置が示されており、更に呼吸装置及び人工空気路構造の中を通るように示された呼吸装置が示されている。
【図１０】本発明による呼吸装置の縦断面図で、ここでは、呼吸装置を人工空気路構造に取り付けるために使用されるクランプ係合リングを持つ人工空気路構造に対し近位側にある呼吸装置が示されている。
【図１１】呼吸装置が人工空気路構造に取り付けられている図１０に示されたものに類似した呼吸装置の縦断面図である。
【図１２】本発明による呼吸装置の縦断面図で、ここでは、呼吸装置が、Ｙ型マニホルドである人工空気路構造に対し近位側に配置されている。
【図１３】呼吸装置が、摩擦嵌合配列を通して人工空気路構造に結合されている図１２に示されたものに類似した呼吸装置の縦断面図である。
【図１４】本発明の一例示的実施形態によるキャップ及びプラグ組立体の平面図である。
【図１５】図１４の線Ａ−Ａに沿って切り取られた断面図である。
【図１６】図１４の線Ｂ−Ｂに沿って切り取られた断面図である。
【符号の説明】
【００５７】
１０  呼吸装置
１２  吸引カテーテル
１４  管状部分
２２  器具導入区画
２４  通路
２６  近位端部
２８  末端部
３０  人工空気路構造
３２  バルブ
３４  人工空気路
３８  クリーニング区画
４０  灌注口
４６  ポート
１００  キャップ
１０４  プラグ
【図１】
2006528531.tif 000003
【図２】
2006528531.tif 000004
【図３】
2006528531.tif 000005
【図４】
2006528531.tif 000006
【図５】
2006528531.tif 000007
【図６】
2006528531.tif 000008
【図７】
2006528531.tif 000009
【図８】
2006528531.tif 000010
【図９】
2006528531.tif 000011
【図１０】
2006528531.tif 000012
【図１１】
2006528531.tif 000013
【図１２】
2006528531.tif 000014
【図１３】
2006528531.tif 000015
【図１４】
2006528531.tif 000016
【図１５】
2006528531.tif 000017
【図１６】
2006528531.tif 000018
【国際調査報告】
2006528531.tif 000019
2006528531.tif 000020
2006528531.tif 000021